(57)【要約】  【課題】ドア開放装置と、その動作を制御する制御装置を備えた冷蔵庫のドア開放誤動作をなくす。  【解決手段】冷蔵庫のドア前面に設けられたドア開用スイッチからの入力信号が入ると、ブザーを鳴らし（ｓｔｅｐ２）、タイマーをスタート（ｓｔｅｐ３）し、ドア開放装置の電磁ソレノイドへ電圧を印加（ｓｔｅｐ４）し、ｓｔｅｐ５でタイマーがカウントアップするまで電圧を印加し続け、カウントアップすればｓｔｅｐ６で電圧印加を終了しｓｔｅｐ７でタイマーをクリアすることで、出力軸の進出動作によりドア被押圧部を突き放しドアを開放するのだが、ブザーが鳴ることにより使用者はドア開用スイッチが押されたことを知ることができる。【選択図】図３
2008101812.tif 000002
【特許請求の範囲】
【請求項１】
進出と後退を行なうスライド部材の直線動作により、箱体に密着するマグネットを備えたドアを開放するドア開放装置と、前記ドア開放装置の動作を制御する制御装置と、前記ドア開放装置を動作させるドア開用スイッチと、使用者へのお知らせ用ブザーを備えた冷蔵庫において、前記ドア開用スイッチが押された時にブザーが鳴る手段を備えたことを特徴とした冷蔵庫。
【請求項２】
進出と後退を行なうスライド部材の直線動作により、箱体に密着するマグネットを備えたドアを開放する前記ドア開放装置と、前記ドア開放装置の動作を制御する前記制御装置と、前記ドア開放装置を動作させる前記ドア開用スイッチと、ドアの開状態を検出するドア開放検出スイッチと、使用者へのお知らせ用ブザーを備えた冷蔵庫において、前記ドア開用スイッチが押され前記ドア開放装置が働いた後、前記ドア開放検出スイッチが開信号を出した時にブザーを鳴らす手段を備えたことを特徴とした請求項１に記載の冷蔵庫。
【発明の詳細な説明】
【技術分野】
【０００１】
本発明は、ドア開放装置と、このドア開放装置の動作を制御する制御装置とを備えた冷蔵庫に関するものである。
【背景技術】
【０００２】
従来、冷蔵庫のドア開放装置としては、例えば電磁ソレノイドのようなアクチュエータを利用したものがある（例えば特許文献１参照）。
【０００３】
図６は、特許文献１に記載された従来の冷蔵庫のドア開放装置主要拡大断面図であり、図７は、その制御動作を説明するフローチャートである。
【０００４】
図６において、冷蔵庫１のドア１００を開放するドア開放装置１１０は、冷蔵庫１の本体上部に装着され、ドア１００の前面には、ドア開放装置１１０を動作させるための開扉用スイッチ１０１が設けられ、ドア１００の上部には、ドア開放装置１１０の動力をドアに伝えるための突設した被押圧部１０２が設けられている。またドア開放装置１１０の内部には、電磁ソレノイド１１１ａと、その磁界により動作するプランジャー１１１ｂと、その動力をドア１００の被押圧部１０２に伝えるプッシュロッド１１１ｃが配設されている。
【０００５】
以下、従来の冷蔵庫ドア開放装置についてその動作を説明する。
【０００６】
図６，図７において、まず冷蔵庫１のドア１００に設けられた開扉用スイッチ１０１の操作（オン）により、開扉用スイッチ１０１がオンされたか否かを判断する（ステップＳ１０）。ここで開扉用スイッチ１０１がオンされた時は、ステップＳ１０にて「ＹＥＳ」に進み、ステップＳ２０でタイマーをスタートさせた後、ドア開放装置１１０内部の電磁ソレノイド１１１ａに通電される（ステップＳ３０）。この磁界によりプランジャー１１１ｂが動作し、その動作がドア１００を開放させるためのプッシュロッド１１１ｃに伝わりドア１００の被押圧部１０２を押しドア１００を開放させるものである。そしてステップＳ４０へ進み、タイマー（図示していない）がカウントアップしたか否かを判断する。ここでタイマーがカウントアップしていない時には電圧を印加しつづけ、カウントアップした時には「ＹＥＳ」へ進み電磁ソレノイド１１１ａを断電し（ステップ５０）、タイマーをクリアする（ステップＳ６０）。
【特許文献１】特開２００１−５９６７５号公報
【発明の開示】
【発明が解決しようとする課題】
【０００７】
しかしながら、上記従来の冷蔵庫では、ドア開用スイッチに触れるだけでドアが開くという便利さがある反面、無意識に触れてドアがいつのまにか開いてしまい使用者が気づかず冷蔵庫内の温度が上昇してしまうという課題を有していた。
【０００８】
本発明は、上記従来の課題を解決するもので、ドアがいつのまにか開いてしまい使用者が気づかず冷蔵庫内の温度が上昇してしまうことのないドア開放装置を搭載した冷蔵庫を提供することを目的とする。
【課題を解決するための手段】
【０００９】
上記従来の課題を解決するために、本発明の冷蔵庫は、スライド部材の進出と後退を行うドア開放装置と、その動作を制御する制御装置と、使用者へのお知らせ用ブザーを備え、ドア開用スイッチに触れるとブザーが鳴るようにし使用者にドア開用スイッチを押したことを知らせる制御手段を行うものである。
【００１０】
これによって、ドアがいつのまにか開いてしまい使用者が気づかず冷蔵庫内の温度が上昇してしまうことを防止できる。
【００１１】
本発明の冷蔵庫は、進出と後退を行なうスライド部材の直線動作により、箱体に密着するマグネットを備えたドアを開放するドア開放装置と、前記ドア開放装置の動作を制御する制御装置と、前記ドア開放装置を動作させるドア開用スイッチと、ドアの開状態を検出するドア開放検出スイッチと、使用者へのお知らせ用ブザーを備えた冷蔵庫において、ドア開用スイッチが押されドア開放装置が働いた後、ドア開放検出スイッチが開信号を出した時にブザーを鳴らす手段を備えたものである。
【００１２】
これによって、ドアがいつのまにか開いてしまい使用者が気づかず冷蔵庫内の温度が上昇してしまうことを防止できる。また、ドアが開いたことを確認後ブザーを鳴らすので、ドアが重くドア開放装置がドアを開けようとしたが実際には開かなかった場合にはブザーは鳴らないことになり誤報知を防ぐことができる。
【発明の効果】
【００１３】
本発明の冷蔵庫は、スライド部材の進出と後退を行うドア開放装置と、その動作を制御する制御装置と、使用者へのお知らせ用ブザーを備え、ドア開用スイッチに触れるとブザーが鳴るようにし使用者にドア開用スイッチを押したことを知らせる制御手段を行うもので、ブザーで知らせるためドアがいつのまにか開いてしまい使用者が気づかず冷蔵庫内の温度が上昇してしまうことを防止できる。
【発明を実施するための最良の形態】
【００１４】
請求項１に記載の発明は、進出と後退を行なうスライド部材の直線動作により、箱体に密着するマグネットを備えたドアを開放するドア開放装置と、前記ドア開放装置の動作を制御する制御装置と、前記ドア開放装置を動作させるドア開用スイッチと、使用者へのお知らせ用ブザーを備えた冷蔵庫において、前記ドア開用スイッチが押された時にブザーが鳴る制御手段を行うものである。
【００１５】
この発明によれば、ブザーで知らせるためドアがいつのまにか開いてしまい使用者が気づかず冷蔵庫内の温度が上昇してしまうことを防止できる。
【００１６】
請求項２に記載の発明は、請求項１に記載の発明において、進出と後退を行なうスライド部材の直線動作により、箱体に密着するマグネットを備えたドアを開放する前記ドア開放装置と、前記ドア開放装置の動作を制御する前記制御装置と、前記ドア開放装置を動作させる前記ドア開用スイッチと、ドアの開状態を検出するドア開放検出スイッチと、使用者へのお知らせ用ブザーを備えた冷蔵庫において、前記ドア開用スイッチが押され前記ドア開放装置が働いた後、前記ドア開放検出スイッチが開信号を出した時にブザーを鳴らすものである。
【００１７】
この発明によれば、ブザーで知らせるためドアがいつのまにか開いてしまい使用者が気づかず冷蔵庫内の温度が上昇してしまうことを防止できる。また、ドアが開いたことを確認後ブザーを鳴らすので、ドアが重くドア開放装置がドアを開けようとしたが実際には開かなかった場合にはブザーは鳴らないことになり誤報知を防ぐことができる。
【００１８】
以下、本発明による冷蔵庫の実施の形態について、図面を参照しながら説明する。なお、この実施の形態によってこの発明が限定されるものではない。
【００１９】
（実施の形態１）
図１は、本発明の実施の形態１におけるドア開放装置を備えた冷蔵庫の斜視図である。
【００２０】
図１において冷蔵庫１のドア２を開放するドア開放装置３は、ドアヒンジ４と反対側の冷蔵庫１の本体上部に装着され、ドア２の前面には、ドア開放装置３を動作させるためのドア開用スイッチ５が設けられ、ドア２の上部には、ドア開放装置３の動力をドアに伝えるための出力軸６と突設した被押圧部７が設けられている。冷蔵庫１には使用者へのお知らせ用ブザー８、ドア開放検出スイッチ１１ａが設けられている。
【００２１】
図２は、本発明の実施の形態１におけるドア開放装置を備えた冷蔵庫の制御装置のブロック図であり、図３は、同実施の形態の冷蔵庫の制御装置の動作を説明するためのフローチャートである。
【００２２】
図２において、ドア２の開放を指令するドア開用スイッチ５の信号は制御回路１４に送信され、電磁ソレノイド９への電圧印加制御を行う。入力された信号は、ワンチップのＣＰＵ１５に接続し駆動回路１６を通して電磁ソレノイド９への電圧印加を管理している。なおＣＰＵ１５の代替として、タイマーＩＣや汎用のロジック回路をくみあわせてもよい。また、制御回路１４自体は、冷蔵庫１内の制御回路内に組み込んでも、ドア開放装置３内に収納してもよい。
【００２３】
以上のように構成された冷蔵庫の制御装置について、図３を用いてその動作を説明する。
【００２４】
図３において、Ｓｔｅｐ１で冷蔵庫１のドア２前面に設けられたドア開用スイッチ５からの入力信号を監視し、ドア開用スイッチ５の入力信号が入ると、ブザー８を鳴らし（ｓｔｅｐ２）、タイマーをスタート（ｓｔｅｐ３）し、ドア開放装置３の電磁ソレノイド９へ電圧を印加（ｓｔｅｐ４）し、ｓｔｅｐ５でタイマーがカウントアップするまで電圧を印加し続け、カウントアップすればｓｔｅｐ６で電圧印加を終了しｓｔｅｐ７でタイマーをクリアする。これにより出力軸６の進出動作によりドア被押圧部７を突き放しドア２を開放することができる。また、ブザー８が鳴ることにより使用者はドア開用スイッチ５が押されたことを知ることができ、ドア２がいつのまにか開いてしまい使用者が気づかず冷蔵庫内の温度が上昇してしまうことを防止できる。
【００２５】
（実施の形態２）
図４は、本発明の実施の形態２におけるドア開放装置を備えた冷蔵庫の制御装置のブロック図であり、図５は、同実施の形態の冷蔵庫の制御装置の動作を説明するためのフローチャートである。
【００２６】
図４において制御回路１４内のＣＰＵ１５にはドア開放検出スイッチ１１ａが接続され、ドア２が開放されればそれを検出する。
【００２７】
以上のように構成された冷蔵庫の制御装置について、図４、図５を用いてその動作を説明する。
【００２８】
図５において、Ｓｔｅｐ１で冷蔵庫１のドア２前面に設けられたドア開用スイッチ５からの入力信号を監視し、ドア開用スイッチ５の入力信号が入ると、タイマーをスタート（ｓｔｅｐ２）し、ドア開放装置３の電磁ソレノイド９へ電圧を印加（ｓｔｅｐ３）し、ｓｔｅｐ４でタイマーがカウントアップするまで電圧を印加し続け、カウントアップすればｓｔｅｐ５で電圧印加を終了しｓｔｅｐ６でタイマーをクリアする。これにより出力軸６の進出動作によりドア被押圧部７を突き放しドア２を開放することができる。ｓｔｅｐ７でドア開放検出スイッチ１１ａが開信号を出力していた場合はｓｔｅｐ８でブザー８を鳴らす。これにより使用者はドア２が開いたことを知ることができ、ドアがいつのまにか開いてしまい使用者が気づかず冷蔵庫１内の温度が上昇してしまうことを防止できる。ｓｔｅｐ７でドア開放検出スイッチ１１ａが開信号を出力していなかった場合はブザー８は鳴らさずにｓｔｅｐ１へ戻る。これによりドア２が開いたことを確認後ブザー８を鳴らすので、ドア２が重くドア開放装置３がドア２を開けようとしたが実際には開かなかった場合にはブザー８は鳴らないことになり誤報知を防ぐことができる。
【産業上の利用可能性】
【００２９】
以上のように、本発明の冷蔵庫は、ドア開用スイッチに触れるとブザーが鳴るようにし使用者にドア開用スイッチを押したことを知らせる制御手段を行うものであり、これによって、ブザーで知らせるためドアがいつのまにか開いてしまい使用者が気づかず冷蔵庫内の温度が上昇してしまうことを防止できる。また、ドア開放装置が働いた後ドア開放検出スイッチが開信号を出した場合にブザーを鳴らすものであるので、ドアが重くドア開放装置がドアを開けようとしたが実際には開かなかった場合にはブザーは鳴らないことになり誤報知を防止でき、電磁ソレノイドとその動作を制御する制御装置を備えた冷蔵庫をはじめとする応用機器の制御として適用できる。
【図面の簡単な説明】
【００３０】
【図１】本発明の実施の形態１におけるドア開放装置を備えた冷蔵庫の斜視図
【図２】同実施の形態のドア開放装置を備えた冷蔵庫の制御装置のブロック図
【図３】同実施の形態の冷蔵庫の制御装置の動作を説明するためのフローチャート
【図４】本発明の実施の形態２におけるドア開放装置を備えた冷蔵庫の制御装置のブロック図
【図５】同実施の形態の冷蔵庫の制御装置の動作を説明するためのフローチャート
【図６】従来の冷蔵庫のドア開放装置主要拡大断面図
【図７】従来の冷蔵庫の制御動作を説明するフローチャート
【符号の説明】
【００３１】
１    冷蔵庫
２    ドア
３    ドア開放装置
５    ドア開用スイッチ
８    ブザー
１１ａ  ドア開放検出スイッチ
１４  制御回路
【図１】
2008101812.tif 000003
【図２】
2008101812.tif 000004
【図３】
2008101812.tif 000005
【図４】
2008101812.tif 000006
【図５】
2008101812.tif 000007
【図６】
2008101812.tif 000008
【図７】
2008101812.tif 000009